【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
超音波送受信面から被検体に超音波を送信し、前記超音波送受信面を介して、前記被検体内において伝播された超音波を受信する超音波プローブと、
それぞれが異なる周波数で光強度変調されているピーク波長が異なる光を発生する複数の光源と、それぞれが前記複数の光源と光学的に接続され前記各光源が発生する前記光を前記超音波送受信面の周囲から前記被検体内に照射する複数の照射ユニットと、前記各照射ユニットから照射され前記被検体内で伝播された前記ピーク波長が異なる光の強度を検出する複数の光検出器と、を有し、前記超音波プローブと一体化して設けられた光プローブと、
前記複数の光検出器のうちの一つによって検出され且つ前記複数の光源の前記ピーク波長が異なる光のうちの一つから選択された基準波長を用いて、第一の光の第一の強度を設定し、前記複数の光検出器によって検出され且つ前記基準波長を伴う前記第一の光とは異なる複数の第二の光に対応する、複数の第二の強度を前記第一の強度で規格化し、規格化された前記複数の第二の強度について非線形強調補正をすることで第一の値を計算し、前記第一の光の前記第一の強度について非線形緩和補正をすることで第二の値を計算し、前記第一の値と前記第二の値とに基づいて評価値を算出する算出ユニットと、
前記評価値に基づいて、異常との疑いのある部位に前記超音波プローブ及び前記光プローブの少なくとも一方の配置位置をナビゲートするための情報を出力する出力ユニットと、
を具備することを特徴とする超音波診断装置。
【請求項２】
それぞれが異なる周波数で光強度変調されているピーク波長が異なる光を発生する複数の光源と、それぞれが前記複数の光源と光学的に接続され前記各光源が発生する前記光を超音波プローブの超音波送受信面の周囲から被検体内に照射するための複数の照射ユニットと、前記各照射ユニットから照射され前記被検体内で伝播された前記ピーク波長が異なる光の強度を検出する複数の光検出器と、を有し、前記超音波プローブと一体化して設けられるための光プローブと、
前記複数の光検出器のうちの一つによって検出され且つ前記複数の光源の前記ピーク波長が異なる光のうちの一つから選択された基準波長を用いて、第一の光の第一の強度を設定し、前記複数の光検出器によって検出され且つ前記基準波長を伴う前記第一の光とは異なる複数の第二の光に対応する、複数の第二の強度を前記第一の強度で規格化し、規格化された前記複数の第二の強度について非線形強調補正をすることで第一の値を計算し、前記第一の光の前記第一の強度について非線形緩和補正をすることで第二の値を計算し、前記第一の値と前記第二の値とに基づいて評価値を算出する算出ユニットと、
前記評価値に基づいて、異常との疑いのある部位に前記超音波プローブ及び前記光プローブの少なくとも一方の配置位置をナビゲートするための情報を出力する出力ユニットと、
を具備することを特徴とする生体検査装置。
【請求項３】
前記算出ユニットは、前記複数の光検出器で検出された前記第一の値と前記第二の値とを積算することで、
前記評価値を計算することを特徴とする請求項１記載の超音波診断装置、又は請求項２記載の生体検査装置。
【請求項４】
前記算出ユニットは、べき関数を用いて前記非線形強調補正と前記非線形緩和補正とを実行することを特徴とする請求項１又は３に記載の超音波診断装置、又は請求項２又は３に記載の生体検査装置。
【請求項５】
前記べき関数は、Ｍ（ｎ，Ｌｍ）＝Ｋ（ｎ，Ｌｍ）・Ｄ（ｎ，Ｌｍ）Ｇ１・Ｒ（ｎ，Ｌｍ）Ｇ２に従うものであり、ここで、ｎは前記複数の光検出器の第一の番号であり、ｍは前記複数の照射ユニットの第二の番号であり、Ｍ（ｎ，Ｌｍ）は近接評価値であり、Ｋ（ｎ，Ｌｍ）は重み係数であり、Ｇ１は規格化された光強度変化Ｄ（ｎ，Ｌｍ）についての第一のべき指数であり、Ｇ２は規格化された光強度比Ｒ（ｎ，Ｌｍ）についての第二のべき指数であること、
を特徴とする請求項４記載の超音波診断装置、又は請求項４記載の生体検査装置。
【請求項６】
前記算出ユニットは、異常との疑いのある部位の第一の評価値を、健常部位の第二の評価値で規格化することを特徴とする請求項１、３乃至５のうちいずれか一項記載の超音波診断装置、又は請求項２、３乃至５のうちいずれか一項記載の生体検査装置。
【請求項７】
前記算出ユニットは、前記第一のべき指数を０＜Ｇ１≦１と設定し、前記第二のべき指数を１＜Ｇ２≦４と設定することを特徴とする請求項５記載の超音波診断装置、又は請求項５記載の生体検査装置。
【請求項８】
前記算出ユニットは、異常との疑いのある部位の前記近接評価値Ｍ（ｎ，Ｌｍ）を、他の健常部位の別の前記近接評価値Ｍ（ｎ，Ｌｍ）で規格化することを特徴とする請求項５記載の超音波診断装置、又は請求項５記載の生体検査装置。
【請求項９】
前記光強度変化Ｄ（ｎ，Ｌｍ）は、前記基準波長について、Ｄ（ｎ，Ｌｍ）＝ｓ（ｎ，Ｌｍ）／ｉ（ｎ，Ｌｍ）に従うものであり、ここで、ｓ（ｎ，Ｌｍ）は初期光強度であり、ｉ（ｎ，Ｌｍ）は検出された光強度であること、
を特徴とする請求項５，７及び８のうちいずれか一項記載の超音波診断装置、又は請求項５，７及び８のうちいずれか一項記載の生体検査装置。
【請求項１０】
前記光強度比Ｒ（ｎ，Ｌｍ）は、検出された光強度の比を用いて、初期光強度の比で規格化したものであること、
を特徴とする請求項５，７乃至９のうちいずれか一項記載の超音波診断装置、又は請求項５，７乃至９のうちいずれか一項記載の生体検査装置。
【請求項１１】
前記光強度比Ｒ（ｎ，Ｌｍ）は、Ｒ（ｎ，Ｌｍ）＝｛ｉ（ｎ，λ０，Ｌｍ）／ｉ（ｎ，λ１，Ｌｍ）｝／｛ｓ（ｎ，λ０，Ｌｍ）／ｓ（ｎ，λ１，Ｌｍ）｝に従うものであり、ここで、λ０は前記基準波長であり、λ１は前記基準波長とは異なる波長であり、ｉ（ｎ，λ０，Ｌｍ）はλ０について検出された光強度であり、ｉ（ｎ，λ１，Ｌｍ）はλ１について検出された光強度であり、ｓ（ｎ，λ０，Ｌｍ）はλ０についての初期光強度であり、ｓ（ｎ，λ１，Ｌｍ）はλ１についての初期光強度であること、
を特徴とする請求項５，７乃至１０のうちいずれか一項記載の超音波診断装置、又は請求項５，７乃至１０のうちいずれか一項記載の生体検査装置。
【請求項１２】
それぞれが異なる周波数で光強度変調されているピーク波長が異なる光を発生する複数の光源と、それぞれが前記複数の光源と光学的に接続され前記各光源が発生する前記光を被検体内に照射する複数の照射ユニットと、前記各照射ユニットから照射され前記被検体内で伝播された前記ピーク波長が異なる光の強度を検出する複数の光検出器と、を有する光プローブと、
前記複数の光検出器のうちの一つによって検出され且つ前記複数の光源の前記ピーク波長が異なる光のうちの一つから選択された基準波長を用いて、第一の光の第一の強度を設定し、前記複数の光検出器によって検出され且つ前記基準波長を伴う前記第一の光とは異なる複数の第二の光に対応する、複数の第二の強度を前記第一の強度で規格化し、規格化された前記複数の第二の強度について非線形強調補正をすることで第一の値を計算し、前記第一の光の前記第一の強度について非線形緩和補正をすることで第二の値を計算し、前記第一の値と前記第二の値とに基づいて評価値を算出する算出ユニットと、
前記評価値に基づいて、異常との疑いのある部位に前記光プローブの配置位置をナビゲートするための情報を出力する出力ユニットと、
を具備することを特徴とする生体検査装置。
【手続補正２】
【補正対象書類名】明細書
【補正対象項目名】００１３
【補正方法】変更
【補正の内容】
【００１３】
本実施形態に係る超音波診断装置は、超音波プローブと、光プローブと、算出ユニットと、出力ユニットと、を具備する。超音波プローブは、超音波送受信面から被検体に超音波を送信し、超音波送受信面を介して、被検体内において伝播された超音波を受信する。光プローブは、それぞれが異なる周波数で光強度変調されているピーク波長が異なる光を発生する複数の光源と、それぞれが複数の光源と光学的に接続され各光源が発生する光を超音波送受信面の周囲から被検体内に照射する複数の照射ユニットと、各照射ユニットから照射され被検体内で伝播されたピーク波長が異なる光の強度を検出する複数の光検出器と、を有し、超音波プローブと一体化して設けられる。算出ユニットは、複数の光検出器のうちの一つによって検出され且つ複数の光源のピーク波長が異なる光のうちの一つから選択された基準波長を用いて、第一の光の第一の強度を設定し、複数の光検出器によって検出され且つ基準波長を伴う第一の光とは異なる複数の第二の光に対応する、複数の第二の強度を第一の強度で規格化し、規格化された複数の第二の強度について非線形強調補正をすることで第一の値を計算し、第一の光の第一の強度について非線形緩和補正をすることで第二の値を計算し、第一の値と第二の値とに基づいて評価値を算出する。出力ユニットは、評価値に基づいて、異常との疑いのある部位に超音波プローブ及び光プローブの少なくとも一方の配置位置をナビゲートするための情報を出力する。
【手続補正３】
【補正対象書類名】明細書
【補正対象項目名】００６１
【補正方法】変更
【補正の内容】
【００６１】
次に、光解析部４２４は、所定の期間経過後において、第１光検出部４０１ａｎ、第２光検出部４０１ｂｎがそれぞれ検出した基準波長λ０の光強度ｉ（ｎ，λ０，Ｌ１）、ｉ（ｎ，λ０，Ｌ２）について、次の式（１１）、（１２）に従って、初期光強度ｓ（ｎ，λ０，Ｌ１）、ｓ（ｎ，λ０，Ｌ２）に対する光強度変化を逆数で算出する（ステップＳ２）。
Ｄ（ｎ，λ０，Ｌ１）＝ｓ（ｎ，λ０，Ｌ１）／ｉ（ｎ，λ０，Ｌ１）  （１１）
Ｄ（ｎ，λ０，Ｌ２）＝ｓ（ｎ，λ０，Ｌ２）／ｉ（ｎ，λ０，Ｌ２）  （１２）
次に、光解析部４２４は、次の式（２１）、（２２）に従って、波長λ1の測定値の基準波長λ0の測定値に対する光強度比を求め、初期値の光強度比で規格化した値Ｒ（ｎ，Ｌ１）、Ｒ（ｎ，Ｌ２）を算出する（ステップＳ３）。
Ｒ（ｎ，Ｌ１）＝｛ｉ（ｎ，λ０，Ｌ１）／ｉ（ｎ，λ１，Ｌ１）｝／
｛ｓ（ｎ，λ０，Ｌ１）／ｓ（ｎ，λ１，Ｌ１）｝  （２１）
Ｒ（ｎ，Ｌ２）＝｛ｉ（ｎ，λ０，Ｌ２）／ｉ（ｎ，λ１，Ｌ２）｝／
｛ｓ（ｎ，λ０，Ｌ２）／ｓ（ｎ，λ１，Ｌ２）｝  （２２）
次に、光解析部４２４は、第１光照射部４００ａ（Ｌ１）と第１光検出部４０１ａｎ、第２光照射部４００ｂ（Ｌ２）と第２光検出部４０１ｂｎのペア（対）毎に、規格化光強度と規格化光強度比にそれぞれの重みを作用させた値Ｍ（ｎ，Ｌ１）、Ｍ（ｎ，Ｌ２）を、次の式（４１）、（４２）に従って計算する（ステップＳ４）。
Ｍ（ｎ，Ｌ１）＝Ｋ（ｎ，Ｌ１）・Ｄ（ｎ，Ｌ１）Ｇ１・Ｒ（ｎ，Ｌ１）Ｇ２    （４１）
Ｍ（ｎ，Ｌ２）＝Ｋ（ｎ，Ｌ２）・Ｄ（ｎ，Ｌ２）Ｇ１・Ｒ（ｎ，Ｌ２）Ｇ２    （４２）
ここで、Ｋ（ｎ，Ｌ１）、Ｋ（ｎ，Ｌ２）は、第１光照射部４００ａ（Ｌ１）と第１光検出部４０１ａｎ、第２光照射部４００ｂ（Ｌ２）と第２光検出部４０１ｂのペアに対応して設定される重み係数である。また、Ｇ１は規格化基準光強度に対して、Ｇ２は規格化光強度比に対して設定される重み指数である。なお、Ｋ（ｎ，Ｌ１）、Ｋ（ｎ，Ｌ２）、Ｇ１、Ｇ２は、外部設定によりそれぞれ好適な値とされる。特に、乳がん検診におけるＧ１、Ｇ２の好適な値については、後で詳しく説明する。